(57)【要約】【課題】リセットスイッチの誤操作で積算タイマーのメモリがリセットされ、フィルターの交換時期が分からなくなってしまうという従来の空気清浄機を解決するものであり、リセットスイッチの誤操作では積算タイマーのメモリがリセットされず、またリセットスイッチの操作は容易である空気清浄機を提供することを目的としている。【解決手段】空気清浄機本体１に浄化手段としてのフィルター４と送風手段としてのファンモーター５と、汚れ検出手段としての粉塵センサー７とフィルター４の交換時期を決定する制御部６と積算タイマー値をリセットするリセットスイッチ８を備え、リセットスイッチの誤操作防止手段を講じることにより、リセットスイッチの誤操作では積算タイマーのメモリがリセットされず、またリセットスイッチの操作は容易である空気清浄機が得られる。【選択図】図１
2007181791.tif 000002
【特許請求の範囲】
【請求項１】
本体に設けた吸気口と、この吸気口から吸気した汚れ空気を清浄化する浄化手段と、この浄化手段に通風する送風手段と、空気中の汚れ成分を検出する汚れ検出手段と、前記浄化手段の交換時期を決定する積算タイマーと、前記積算タイマーのメモリをリセットするリセットスイッチを備えた空気清浄機であって、前記リセットスイッチの誤操作防止手段を講じたことを特徴とする空気清浄機。
【請求項２】
リセットスイッチの入力が連続して数秒以上入力された場合に前記リセットスイッチの入力を受付け、積算タイマーのメモリをリセットするようにしたことを特徴とする請求項１記載の空気清浄機。
【請求項３】
リセットスイッチの入力が少なくとも二回以上入力された場合に前記リセットスイッチの入力を受付け、積算タイマーのメモリをリセットするようにしたことを特徴とする請求項１記載の空気清浄機。
【請求項４】
リセットスイッチの入力が一定時間内に少なくとも二回以上入力された場合に前記リセットスイッチの入力を受付け、積算タイマーのメモリをリセットするようにしたことを特徴とする請求項１または３記載の空気清浄機。
【請求項５】
積算タイマーが所定値を超えた場合のみ、リセットスイッチの入力を受付け、前記積算タイマーのメモリをリセットするようにしたことを特徴とする請求項１記載の空気清浄機。
【請求項６】
リセットスイッチを少なくとも二つ以上備え、すべてのリセットスイッチが入力された場合に受付け、積算タイマーのメモリをリセットするようにしたことを特徴とする請求項１記載の空気清浄機。
【請求項７】
リセットスイッチを少なくとも二つ以上備え、すべてのリセットスイッチが同時に入力された場合に受付け、積算タイマーのメモリをリセットするようにしたことを特徴とする請求項１または６記載の空気清浄機。
【請求項８】
積算タイマーのメモリのリセットを取り消すことができるようにしたことを特徴とする請求項１記載の空気清浄機。
【請求項９】
積算タイマーのメモリのリセットから一定時間のみリセット取り消しを行えるようにしたことを特徴とする請求項８記載の空気清浄機。
【請求項１０】
報知手段を備え、リセットスイッチの入力を受付け、積算タイマーのメモリをリセットした場合に、使用者に前記積算タイマーのメモリをリセットしたことを前記報知手段により知らせることを特徴とする請求項１から９いずれかに記載の空気清浄機。
【請求項１１】
発光表示手段を備え、リセットスイッチの入力を受付け、積算タイマーのメモリをリセットした場合に、使用者に前記積算タイマーのメモリをリセットしたことを前記発光手段により知らせることを特徴とする請求項１から１０いずれかに記載の空気清浄機。
【請求項１２】
積算タイマーのメモリを表示する表示手段を備えたことを特徴とする請求項１から１１いずれかに記載の空気清浄機。
【発明の詳細な説明】
【技術分野】
【０００１】
本発明は、粉塵センサーおよびガスセンサーにより室内の空気汚れを検出し、制御部が送風手段を駆動して室内空気を吸い込み、浄化手段を通して清浄化する空気清浄機に関するものである。
【背景技術】
【０００２】
従来、この種の空気清浄機は下記に記載されたものが知られている（例えば、特許文献１参照）。
【０００３】
以下その空気清浄機について図１２を用いて説明する。図に示すように、空気清浄機本体１０１には、前面パネル１０２が設けられ、空気を清浄化するためのフィルター１０３と、フィルター１０３に通風するファンモーター１０４と、フィルター１０３の交換時期を決定する積算タイマーを制御する制御部１０５と、フィルター１０３の積算タイマーのメモリをリセットするリセットスイッチ１０６を備えている。また、本体１０１の側面には室内の空気汚れを検出する光学式の粉塵センサー１０７を設け、本体１０１の前面にはフィルター１０３の交換時期を知らせる表示部１０８を設けている。
【０００４】
上記構成において、制御部１０５は粉塵センサー１０７からの汚れ度の大小とファンモーター１０４の運転時間の累計を積算タイマーで計時し、あらかじめ設定してあるフィルターの交換時期になった時に、表示部１０８のフィルター交換ランプを点灯させ使用者に報知する。使用者がフィルター１０３の交換を行い、リセットスイッチ１０６をオンすると制御部１０５は積算タイマーのメモリをリセットする制御となっている。
【特許文献１】特開２０００−１２６５３１号公報
【発明の開示】
【発明が解決しようとする課題】
【０００５】
このような従来の空気清浄機では、使用者が操作する意思がなくリセットスイッチに触れるだけでもオンする制御であり、リセットスイッチをオンすると積算タイマーのメモリをリセットするので、フィルターの交換時期になっていない場合にリセットスイッチを誤操作でオンしてしまうと、それまでの積算タイマーのメモリがリセットされ、フィルターの交換時期が分からなくなってしまうという課題があり、リセットスイッチの誤操作で積算タイマーがリセットしないようにすることが要求されている。
【０００６】
本発明は、このような従来の課題を解決するものであり、リセットスイッチの誤操作では積算タイマーのメモリがリセットされず、またリセットスイッチの操作は容易である空気清浄機を提供することを目的としている。
【課題を解決するための手段】
【０００７】
本発明の空気清浄機は上記目的を達成するために、本体に設けた吸気口と、この吸気口から吸気した汚れ空気を清浄化する浄化手段と、この浄化手段に通風する送風手段と、空気中の汚れ成分を検出する汚れ検出手段と、前記浄化手段の交換時期を決定する積算タイマーと、前記積算タイマーのメモリをリセットするリセットスイッチを備え、前記リセットスイッチの誤操作防止手段を講じたものである。
【０００８】
この手段によりリセットスイッチの誤操作では積算タイマーのメモリがリセットされない空気清浄機が得られる。
【０００９】
また、本発明の空気清浄機は上記目的を達成するために、リセットスイッチの入力が連続して数秒以上入力された場合に前記リセットスイッチの入力を受付け、積算タイマーのメモリをリセットするようにしたものである。
【００１０】
この手段によりリセットスイッチの誤操作では積算タイマーのメモリがリセットされず、またリセットスイッチの操作は容易である空気清浄機が得られる。
【００１１】
また、本発明の空気清浄機は上記目的を達成するために、リセットスイッチの入力が少なくとも二回以上入力された場合に前記リセットスイッチの入力を受付け、積算タイマーのメモリをリセットするようにしたものである。
【００１２】
この手段によりリセットスイッチの誤操作では積算タイマーのメモリがリセットされず、またリセットスイッチの操作は容易である空気清浄機が得られる。
【００１３】
また、本発明の空気清浄機は上記目的を達成するために、リセットスイッチの入力が一定時間内に少なくとも二回以上入力された場合に前記リセットスイッチの入力を受付け、積算タイマーのメモリをリセットするようにしたものである。
【００１４】
この手段によりリセットスイッチの誤操作では積算タイマーのメモリがリセットされず、またリセットスイッチの操作は容易である空気清浄機が得られる。
【００１５】
また、本発明の空気清浄機は上記目的を達成するために、積算タイマーが所定値を超えた場合のみ、リセットスイッチの入力を受付け、前記積算タイマーのメモリをリセットするようにしたものである。
【００１６】
この手段によりリセットスイッチの誤操作では積算タイマーのメモリがリセットされず、またリセットスイッチの操作は容易である空気清浄機が得られる。
【００１７】
また、本発明の空気清浄機は上記目的を達成するために、リセットスイッチを少なくとも二つ以上備え、すべてのリセットスイッチが入力された場合に受付け、積算タイマーのメモリをリセットするようにしたものである。
【００１８】
この手段によりリセットスイッチの誤操作では積算タイマーのメモリがリセットされず、またリセットスイッチの操作は容易である空気清浄機が得られる。
【００１９】
また、本発明の空気清浄機は上記目的を達成するために、リセットスイッチを少なくとも二つ以上備え、すべてのリセットスイッチが同時に入力された場合に受付け、積算タイマーのメモリをリセットするようにしたものである。
【００２０】
この手段によりリセットスイッチの誤操作では積算タイマーのメモリがリセットされず、またリセットスイッチの操作は容易である空気清浄機が得られる。
【００２１】
また、本発明の空気清浄機は上記目的を達成するために、積算タイマーのメモリのリセットを取り消すことができるようにしたものである。
【００２２】
この手段によりリセットスイッチの誤操作で積算タイマーのメモリがリセットされた場合でも、リセット前の積算タイマーのメモリに戻すことができる空気清浄機が得られる。
【００２３】
また、本発明の空気清浄機は上記目的を達成するために、積算タイマーのメモリのリセットから一定時間のみリセット取り消しを行えるようにしたものである。
【００２４】
この手段によりリセットスイッチの誤操作で積算タイマーのメモリがリセットされた場合でも、リセット前の積算タイマーのメモリに戻すことができる空気清浄機が得られる。
【００２５】
また、本発明の空気清浄機は上記目的を達成するために、報知手段を備え、リセットスイッチの入力を受付け、積算タイマーのメモリをリセットした場合に、使用者に前記積算タイマーのメモリをリセットしたことを前記報知手段により知らせるものである。
【００２６】
この手段により使用者の操作が積算タイマーのメモリのリセットを行ったか否かを知ることができる空気清浄機が得られる。
【００２７】
また、本発明の空気清浄機は上記目的を達成するために、発光表示手段を備え、リセットスイッチの入力を受付け、積算タイマーのメモリをリセットした場合に、使用者に前記積算タイマーのメモリをリセットしたことを前記発光手段により知らせるものである。
【００２８】
この手段により使用者の操作が積算タイマーのメモリのリセットを行ったか否かを知ることができる空気清浄機が得られる。
【００２９】
また、本発明の空気清浄機は上記目的を達成するために、積算タイマーのメモリを表示する表示手段を備えたものである。
【００３０】
この手段により使用者が積算タイマーのメモリを容易に知ることができる空気清浄機が得られる。
【発明の効果】
【００３１】
本発明によれば、本体に設けた吸気口と、この吸気口から吸気した汚れ空気を清浄化する浄化手段と、この浄化手段に通風する送風手段と、空気中の汚れ成分を検出する汚れ検出手段と、前記浄化手段の交換時期を決定する積算タイマーと、前記積算タイマーのメモリをリセットするリセットスイッチを備え、前記リセットスイッチの誤操作防止手段を講じることにより、リセットスイッチの誤操作では積算タイマーのメモリがリセットされないという効果のある空気清浄機を提供できる。
【００３２】
また、リセットスイッチの入力が連続して数秒以上入力された場合に前記リセットスイッチの入力を受付け、積算タイマーのメモリをリセットすることにより、リセットスイッチの誤操作では積算タイマーのメモリがリセットされず、またリセットスイッチの操作は容易であるという効果のある空気清浄機を提供できる。
【００３３】
また、リセットスイッチの入力が少なくとも二回以上入力された場合に前記リセットスイッチの入力を受付け、積算タイマーのメモリをリセットすることにより、リセットスイッチの誤操作では積算タイマーのメモリがリセットされず、またリセットスイッチの操作は容易であるという効果のある空気清浄機を提供できる。
【００３４】
また、リセットスイッチの入力が一定時間内に少なくとも二回以上入力された場合に前記リセットスイッチの入力を受付け、積算タイマーのメモリをリセットすることにより、リセットスイッチの誤操作では積算タイマーのメモリがリセットされず、またリセットスイッチの操作は容易であるという効果のある空気清浄機を提供できる。
【００３５】
また、積算タイマーが所定値を超えた場合のみ、リセットスイッチの入力を受付け、前記積算タイマーのメモリをリセットすることにより、リセットスイッチの誤操作では積算タイマーのメモリがリセットされず、またリセットスイッチの操作は容易であるという効果のある空気清浄機を提供できる。
【００３６】
また、リセットスイッチを少なくとも二つ以上備え、すべてのリセットスイッチが入力された場合に受付け、積算タイマーのメモリをリセットすることにより、リセットスイッチの誤操作では積算タイマーのメモリがリセットされず、またリセットスイッチの操作は容易であるという効果のある空気清浄機を提供できる。
【００３７】
また、リセットスイッチを少なくとも二つ以上備え、すべてのリセットスイッチが同時に入力された場合に受付け、積算タイマーのメモリをリセットすることにより、リセットスイッチの誤操作では積算タイマーのメモリがリセットされず、またリセットスイッチの操作は容易であるという効果のある空気清浄機を提供できる。
【００３８】
また、積算タイマーのメモリのリセットを取り消すことができるようにしたことにより、リセットスイッチの誤操作で積算タイマーのメモリがリセットされた場合でも、リセット前の積算タイマーのメモリに戻すことができるという効果のある空気清浄機を提供できる。
【００３９】
また、積算タイマーのメモリのリセットから一定時間のみリセット取り消しを行えるようにしたことにより、リセットスイッチの誤操作で積算タイマーのメモリがリセットされた場合でも、リセット前の積算タイマーのメモリに戻すことができるという効果のある空気清浄機を提供できる。
【００４０】
また、報知手段を備え、リセットスイッチの入力を受付け、積算タイマーのメモリをリセットした場合に、使用者に前記積算タイマーのメモリをリセットしたことを前記報知手段により知らせることにより、使用者の操作が積算タイマーのメモリのリセットを行ったか否かを知ることができるという効果のある空気清浄機を提供できる。
【００４１】
また、発光表示手段を備え、リセットスイッチの入力を受付け、積算タイマーのメモリをリセットした場合に、使用者に前記積算タイマーのメモリをリセットしたことを前記発光手段により知らせることにより、使用者の操作が積算タイマーのメモリのリセットを行ったか否かを知ることができるという効果のある空気清浄機を提供できる。
【００４２】
また、積算タイマーのメモリを表示する表示手段を備えたことにより、使用者が積算タイマーのメモリを容易に知ることができる空気清浄機が得られる。
【発明を実施するための最良の形態】
【００４３】
本発明の請求項１記載の発明は、本体に設けた吸気口と、この吸気口から吸気した汚れ空気を清浄化する浄化手段と、この浄化手段に通風する送風手段と、空気中の汚れ成分を検出する汚れ検出手段と、前記浄化手段の交換時期を決定する積算タイマーと、前記積算タイマーのメモリをリセットするリセットスイッチを備え、前記リセットスイッチの誤操作防止手段を講じたものであり、リセットスイッチの誤操作では積算タイマーのメモリがリセットされないという作用を有する。
【００４４】
また、リセットスイッチの入力が連続して数秒以上入力された場合に前記リセットスイッチの入力を受付け、積算タイマーのメモリをリセットするようにしたものであり、リセットスイッチを誤って押した場合、あるいは誤って触れた場合等のリセットスイッチの誤操作では、積算タイマーのメモリがリセットされず、またリセットスイッチの操作は容易であるという作用を有する。
【００４５】
また、リセットスイッチの入力が少なくとも二回以上入力された場合に前記リセットスイッチの入力を受付け、積算タイマーのメモリをリセットするようにしたものであり、リセットスイッチを誤って押した場合、あるいは誤って触れた場合等のリセットスイッチの誤操作では積算タイマーのメモリがリセットされず、またリセットスイッチの操作は容易であるという作用を有する。
【００４６】
また、リセットスイッチの入力が一定時間内に少なくとも二回以上入力された場合に前記リセットスイッチの入力を受付け、積算タイマーのメモリをリセットするようにしたものであり、リセットスイッチを誤って押した場合、あるいは誤って触れた場合等のリセットスイッチの誤操作では積算タイマーのメモリがリセットされず、またリセットスイッチの操作は容易であるという作用を有する。
【００４７】
また、積算タイマーが所定値を超えた場合のみ、リセットスイッチの入力を受付け、前記積算タイマーのメモリをリセットするようにしたものであり、リセットスイッチを誤って押した場合、あるいは誤って触れた場合等のリセットスイッチの誤操作では積算タイマーのメモリがリセットされず、またリセットスイッチの操作は容易であるという作用を有する。
【００４８】
また、リセットスイッチを少なくとも二つ以上備え、すべてのリセットスイッチが入力された場合に受付け、積算タイマーのメモリをリセットするようにしたものであり、リセットスイッチを誤って押した場合、あるいは誤って触れた場合等のリセットスイッチの誤操作では積算タイマーのメモリがリセットされず、またリセットスイッチの操作は容易であるという作用を有する。
【００４９】
また、リセットスイッチを少なくとも二つ以上備え、すべてのリセットスイッチが同時に入力された場合に受付け、積算タイマーのメモリをリセットするようにしたものであり、リセットスイッチの誤操作では積算タイマーのメモリがリセットされず、またリセットスイッチの操作は容易であるという作用を有する。
【００５０】
また、積算タイマーのメモリのリセットを取り消すことができるようにしたものであり、リセットスイッチを誤って押した場合、あるいは誤って触れた場合等のリセットスイッチの誤操作で積算タイマーのメモリがリセットされた場合でも、リセット前の積算タイマーのメモリに戻すことができるという作用を有する。
【００５１】
また、積算タイマーのメモリのリセットから一定時間のみリセット取り消しを行えるようにしたものであり、リセットスイッチを誤って押した場合、あるいは誤って触れた場合等のリセットスイッチの誤操作で積算タイマーのメモリがリセットされた場合でも、リセット前の積算タイマーのメモリに戻すことができるという作用を有する。
【００５２】
また、報知手段を備え、リセットスイッチの入力を受付け、積算タイマーのメモリをリセットした場合に、使用者に前記積算タイマーのメモリをリセットしたことを前記報知手段により知らせるようにしたものであり、使用者の操作が積算タイマーのメモリのリセットを行ったか否かを知ることができるという作用を有する。
【００５３】
また、発光表示手段を備え、リセットスイッチの入力を受付け、積算タイマーのメモリをリセットした場合に、使用者に前記積算タイマーのメモリをリセットしたことを前記発光手段により知らせるようにしたものであり、使用者の操作が積算タイマーのメモリのリセットを行ったか否かを知ることができるという作用を有する。
【００５４】
また、積算タイマーのメモリを表示する表示手段を備えたものであり、使用者が積算タイマーのメモリを容易に知ることができるという作用を有する。
【００５５】
以下、本発明の実施の形態について図面を参照しながら説明する。
【００５６】
（実施の形態１）
図１〜図３に示すように、本発明の実施の形態１の空気清浄機の本体１は、略箱形に形成され、正面にはフロントパネル２を設け、このフロントパネル２に吸気口３を形成している。本体１内には空気を清浄化するための浄化手段としてのフィルター４と、このフィルター４に通風する送風手段としてのファンモーター５が備えられている。
【００５７】
本体１右下部には汚れ検出手段としての粉塵センサー７、本体１左上部にはリセットスイッチ８が設けられている。
【００５８】
また、フィルター４の交換時期を決定する積算タイマーを制御するマイクロコンピュータ９とメモリを記憶するＥＥＰＲＯＭ１０を備えた制御部６が設けられている。
【００５９】
上記構成において、ステップ１１で初めて電源が投入されると積算タイマーのメモリは初期値である（ステップ１２）。ステップ１３で運転を開始すると、積算タイマーのメモリは粉塵センサー７からの汚れ度の大小とファンモーター５の運転時間の累計を計時した累計値となる（ステップ１４）。ステップ１５でリセットスイッチ８がＯＮし、ステップ１６でリセットスイッチ８のＯＮがＴ秒、例えば３秒継続した場合、ステップ１７に進み、リセットスイッチ８の入力を受付ける。ステップ１８で積算タイマーのメモリをリセットし、積算タイマーのメモリが初期値となるステップ１２の処理に戻る。ステップ１６でリセットスイッチ８のＯＮがＴ秒、例えば３秒継続しなかった場合はステップ１９に進み、リセットスイッチ８の入力を受付けないでステップ１４の積算タイマー累計値の処理に戻る。
【００６０】
このようにリセットスイッチ８の操作は容易でかつ、リセットスイッチ８を誤って押した場合、あるいは誤って触れた場合等のリセットスイッチ８の誤操作では積算タイマーのメモリがリセットされないようにすることができる。
【００６１】
なお、実施の形態１ではリセットスイッチ８のＯＮ継続時間Ｔ秒は３秒としたが、リセットスイッチ８を誤って押した場合、あるいは誤って触れた場合等の誤操作でリセットスイッチ８がＯＮする時間より大きければ、３秒未満でも３秒より大きくても良く、その作用効果に差異を生じない。
【００６２】
（実施の形態２）
実施の形態１と同一部分は同一番号を付し、詳細な説明は省略する。図４に示すように、ステップ２０で初めて電源が投入されると積算タイマーのメモリは初期値である（ステップ２１）。ステップ２２で運転を開始すると、積算タイマーのメモリは粉塵センサー７からの汚れ度の大小とファンモーター５の運転時間の累計を計時した累計値となる（ステップ２３）。ステップ２４でリセットスイッチ８がＯＮし、ステップ２５でＳ時間、例えば１時間経過した場合はステップ２９に進み、再度リセットスイッチ８がＯＮすれば、ステップ２５の処理に戻る。ステップ２９で再度リセットスイッチ８がＯＮしなければステップ２３の積算タイマー累計値の処理に戻る。ステップ２５でＳ時間、例えば１時間経過せずにステップ２６に進み、再度リセットスイッチ８がＯＮした場合はステップ２７でリセットスイッチ８の入力を受付ける。ステップ２８で積算タイマーのメモリをリセットし、積算タイマーのメモリが初期値となるステップ２１の処理に戻る。
【００６３】
このようにリセットスイッチ８の操作は容易でかつ、リセットスイッチを誤って押した場合、あるいは誤って触れた場合等のリセットスイッチ８の誤操作では積算タイマーのメモリがリセットされないようにすることができる。
【００６４】
なお、実施の形態２ではリセットスイッチ８がＯＮしてからの経過時間Ｓ時間を１時間としたが、１時間未満でも１時間より大きくても良く、その作用効果に差異を生じない。
【００６５】
なお、経過時間Ｓ時間を１時間ではなく、リセットスイッチ８を除く他のスイッチがＯＮするまでとしても良く、その作用効果に差異を生じない。
【００６６】
なお、経過時間Ｓ時間を１時間ではなく、電源がＯＦＦするまでとしても良く、その作用効果に差異を生じない。
【００６７】
（実施の形態３）
実施の形態１、２と同一部分は同一番号を付し、詳細な説明は省略する。図５、図６（イ）に示すように、ステップ３０で初めて電源が投入されると積算タイマーのメモリは初期値である（ステップ３１）。ステップ３２で運転を開始すると、積算タイマーのメモリは粉塵センサー７からの汚れ度の大小とファンモーター５の運転時間の累計を計時した累計値となる（ステップ３３）。ステップ３４で積算タイマーが所定値、例えば、フィルターの汚れ度合い６０％を超えている場合はステップ３７に進み、リセットスイッチ８をＯＮし、ステップ３８でリセットスイッチ８の入力を受付ける。ステップ３９で積算タイマーのメモリをリセットし、積算タイマーのメモリが初期値となるステップ３１の処理に戻る。ステップ３４で積算タイマーが所定値、例えばフィルターの汚れ度合い６０％を超えていない場合はステップ３５に進み、リセットスイッチ８をＯＮしても、リセットスイッチ８の入力を受付けない（ステップ３６）で、ステップ３３の積算タイマー累計値の処理に戻る。
【００６８】
このようにリセットスイッチ８の操作は容易でかつ、フィルターが汚れていない段階でのリセットスイッチ８の誤操作では積算タイマーのメモリがリセットされないようにすることができる。
【００６９】
なお、実施の形態３では図６（イ）に示すように所定値を規定したが、図６（ロ）に示すようにフィルターの汚れ度合い８０％や図６（ハ）に示すようにフィルターの汚れ度合い４０％で規定しても良く、その作用効果に差異を生じない。
【００７０】
（実施の形態４）
実施の形態１〜３と同一部分は同一番号を付し、詳細な説明は省略する。図７に示すように、リセットスイッチをリセットスイッチａ４０とリセットスイッチｂ４１の二つ備える。
【００７１】
次に図８に示すように、ステップ４２で初めて電源が投入されると積算タイマーのメモリは初期値である（ステップ４３）。ステップ４４で運転を開始すると、積算タイマーのメモリは粉塵センサー７からの汚れ度の大小とファンモーター５の運転時間の累計を計時した累計値となる（ステップ４５）。ステップ４６でリセットスイッチａ４０がＯＮし、ステップ４７でリセットスイッチｂ４１がＯＮした場合はステップ４９に進み、リセットスイッチの入力を受付ける。ステップ５０で積算タイマーのメモリをリセットし、積算タイマーのメモリが初期値となるステップ４３の処理に戻る。ステップ４７でリセットスイッチｂ４１がＯＮしない場合はステップ４８に進み、リセットスイッチの入力を受付けず、積算タイマー累計値の処理に戻る（ステップ４５）。
【００７２】
このようにリセットスイッチの操作は容易でかつ、リセットスイッチを誤って押した場合、あるいは誤って触れた場合等のリセットスイッチの誤操作では積算タイマーのメモリがリセットされないようにすることができる。
【００７３】
なお、実施の形態４ではリセットスイッチの数を二つとしたが、三つ以上でも良く、その作用効果に差異を生じない。
【００７４】
（実施の形態５）
実施の形態１〜４と同一部分は同一番号を付し、詳細な説明は省略する。図１０に示すように、リセット取消しスイッチ６３を備える。
【００７５】
次に図９に示すように、ステップ５１で初めて電源が投入されると積算タイマーのメモリは初期値である（ステップ５２）。ステップ５３で運転を開始すると、積算タイマーのメモリは粉塵センサー７からの汚れ度の大小とファンモーター５の運転時間の累計を計時した累計値となる（ステップ５４）。ステップ５５でリセットスイッチ８がＯＮし、ステップ５６でリセットスイッチ８の入力を受付ける。ステップ５７で積算タイマーのメモリをリセットし、ステップ５８で積算タイマー初期値となる。ステップ５９でリセットスイッチ８のＯＮからＹ時間、例えば２時間経過した場合はステップ６０に進み、リセット取消しスイッチ６３をＯＮしても、リセット取消しスイッチ６３の入力を受付けない（ステップ６１）。ステップ５２の積算タイマー初期値の処理に戻る。ステップ５９でリセットスイッチ８のＯＮからＹ時間、例えば２時間経過していない場合はステップ６２に進み、リセット取消しスイッチ６３をＯＮすれば、ステップ５４の積算タイマー累計値の処理に戻る。ステップ６２でリセット取消しスイッチ６３をＯＮしない場合はステップ５９の処理に戻る。
【００７６】
このようにリセットスイッチ８の誤操作で積算タイマーのメモリがリセットされても、リセット前の積算タイマーのメモリに戻すことができる。
【００７７】
なお、実施の形態５ではＹ時間を２時間としたが、２時間未満でも２時間より大きくても良く、その作用効果に差異を生じない。
【００７８】
なお、Ｙ時間を２時間ではなく、リセットスイッチ８を除く他のスイッチがＯＮするまでとしても良く、その作用効果に差異を生じない。
【００７９】
なお、Ｙ時間を２時間ではなく、電源がＯＦＦするまでとしても良く、その作用効果に差異を生じない。
【００８０】
（実施の形態６）
実施の形態１〜５と同一部分は同一番号を付し、詳細な説明は省略する。図１１に示すように、報知手段としてのブザー６４と発光表示手段としてのＬＥＤ６５と、表示手段としての液晶６６を備える。
【００８１】
リセットスイッチ８の入力を受付けた場合に、ブザー６４を鳴動させる。また、リセットスイッチ８の入力を受付けた場合に、ＬＥＤ６５を点灯させる。また、液晶６６にて、積算タイマーのメモリを表示する。
【００８２】
このように、積算タイマーのメモリをリセットしたことを使用者が容易に知ることができる。
【００８３】
また、積算タイマーのメモリを使用者が容易に知ることができる。
【００８４】
なお、実施の形態６では表示手段として液晶を用いたが、液晶に変えてセグメントＬＥＤを用いても良く、その作用効果に差異を生じない。
【産業上の利用可能性】
【００８５】
フィルターの積算タイマーのメモリをリセットするスイッチの誤操作防止と取消しができるので、フィルターの交換が必要なエアコンや加湿器などの空調機器のスイッチ制御にも適用できる。
【図面の簡単な説明】
【００８６】
【図１】本発明の実施の形態１の空気清浄機の一部破断の外観斜視図
【図２】同制御ブロック図
【図３】同フローチャート
【図４】本発明の実施の形態２のフローチャート
【図５】本発明の実施の形態３のフローチャート
【図６】同積算タイマー値の所定値を示す図（（イ）フィルターの積算タイマー値が所定値６０％の場合、（ロ）フィルターの積算タイマー値が所定値８０％の場合、（ハ）フィルターの積算タイマー値が所定値４０％の場合）
【図７】本発明の実施の形態４の制御ブロック図
【図８】同フローチャート
【図９】本発明の実施の形態５のフローチャート
【図１０】同制御ブロック図
【図１１】本発明の実施の形態６の制御ブロック図
【図１２】従来の空気清浄機の一部破断の外観斜視図
【符号の説明】
【００８７】
１    本体
２    フロントパネル
３    吸気口
４    フィルター（浄化手段）
５    ファンモーター（送風手段）
６    制御部
７    粉塵センサー（汚れ検出手段）
８    リセットスイッチ
９    マイクロコンピュータ
１０  ＥＥＰＲＯＭ
４０  リセットスイッチａ
４１  リセットスイッチｂ
６３  リセット取消しスイッチ
６４  ブザー（報知手段）
６５  ＬＥＤ（発光表示手段）
６６  液晶（表示手段）
【図１】
2007181791.tif 000003
【図２】
2007181791.tif 000004
【図３】
2007181791.tif 000005
【図４】
2007181791.tif 000006
【図５】
2007181791.tif 000007
【図６】
2007181791.tif 000008
【図７】
2007181791.tif 000009
【図８】
2007181791.tif 000010
【図９】
2007181791.tif 000011
【図１０】
2007181791.tif 000012
【図１１】
2007181791.tif 000013
【図１２】
2007181791.tif 000014